(57)【要約】【課題】本発明は、従来の電磁シールド部材の部材間の接続や接地など施工面での厳密性が要求される問題、オフィス内部において反射電波による画面の揺らぎや誤動作などが起こる問題、特定周波数の電波のみを選択的に吸収する問題などを解消するためのものであって、一般のオフィス等においては電波の吸収量よりも通信の安定化が必要とされ、部屋全体に電波吸収体を設置する必要がなく、部屋の一部に設置した場合であっても、違和感がなく、外観上の問題を解消した電波吸収体を提供することを目的とする。【解決手段】表面もしくは周囲に意匠部を付加したことを特徴とする電波吸収体である。【選択図】図１
2005183772.tif 000002
【特許請求の範囲】
【請求項１】
表面に意匠部を付加したことを特徴とする電波吸収体。
【請求項２】
周囲に意匠部を付加したことを特徴とする電波吸収体。
【請求項３】
前記意匠部が、印刷物等を貼り付けることにより意匠性を付加した意匠部であることを特徴とする請求項１記載の電波吸収体。
【請求項４】
前記電波吸収体と意匠部が独立していることを特徴とする請求項１〜３のいずれか１項に記載の電波吸収体。
【請求項５】
前記意匠部のみを交換可能であることを特徴とする請求項１〜４のいずれか１項に記載の電波吸収体。
【発明の詳細な説明】
【技術分野】
【０００１】
本発明は、電波吸収体に関するもので、特に表面および周囲に意匠性を有するものに関する。
【背景技術】
【０００２】
近年、事業所内ＰＨＳや無線ＬＡＮの利用が広がりを見せるなか、情報の漏洩防止や外部からの侵入電波による誤動作やノイズ防止といった点から、オフィス内での電波環境を整えることが不可欠になっており、そのような電波環境の整備用部材として、既に種々のタイプのものが提案されている。
【０００３】
以下に、特許文献を記す。
【特許文献１】特公平６−９９９７２号公報
【特許文献２】特開平１０−１６９０３９号公報
【特許文献３】特開平５−３３５８３２号公報
【特許文献４】特開平５−３３５８３２号公報  例えば、特許文献１には、金属やフェライトなどの電磁シ−ルド部材をビルの躯体に付加することで、広い周波数帯域で任意の周波数の電波を使って情報通信が出来る電磁シ−ルド・インテルジェントビルを提供することが述べられている。しかし、このような鉄板、金属網、金属メッシュ、金属箔などの電波反射体やフェライトなどの電波吸収体を電磁シ−ルド部材として用いたものでは、それらの電磁シ−ルド性に周波数選択性が無いため、遮蔽しようとする周波数以外の電波まで遮蔽してしまう。また前記電波反射体はテレビ電波を反射し、受信障害（ゴ−ストの発生）の原因となるため用いることが出来る箇所が制限される。さらに、電磁シ−ルド部材間の隙間によってシ−ルド性能が大きく低下するため、個々の部材が持つシ−ルド性能を十分発揮させるには、部材間の接続や接地など施工面での厳密性が要求される。
【０００４】
また、特許文献２は、このような問題点を解消するもので、線状のアンテナ素子を定期的に配列させることで遮蔽しようとする特定周波数の電波のみを遮蔽し、部材間の接続や接地も必要ないという優れたものである。しかし、その遮蔽は反射損失によるものが大部分であるため、オフィス内部において反射電波による画面の揺らぎや誤動作などが起こる場合があるのが問題である。
【０００５】
さらに、特許文献３の発明は、共にこのようなオフィス内部における電波反射に起因する問題を解消するもの、即ち特定周波数の電波を選択的に吸収するものであり、特許文献４の発明は、抵抗皮膜と電波反射体とを誘電体（厚さがこの誘電体内における電波波長の４分の１）を挟んで配置し特定周波数の電波のみを選択的に吸収する、いわゆるλ／４型電波吸収体に関するものである。
【０００６】
しかし、この電波吸収体にもそれぞれ以下に述べるような欠点がある。即ちこれらの発明は部屋全体に設置することを前提としており、その施工には多額の費用が必要となるという問題がある。
【発明の開示】
【発明が解決しようとする課題】
【０００７】
本発明は、上記のような従来の電波吸収体が持つ不都合を解消することを目的としたものである。即ち、一般のオフィス等においては電波の吸収量よりも通信の安定化が必要とされ、部屋全体に電波吸収体を設置する必要がなく、部屋の一部に設置した場合であっても、違和感がなく、外観上の問題を解消した電波吸収体を提供することを目的とする。
【課題を解決するための手段】
【０００８】
上記の目的を達成するために、
請求項１に係るの発明は、表面に意匠部を付加したことを特徴とする電波吸収体である。
【０００９】
請求項２に係るの発明は、周囲に意匠部を付加したことを特徴とする電波吸収体である。
【００１０】
請求項３に係るの発明は、前記意匠部が、印刷物等を貼り付けることにより意匠性を付加した意匠部であることを特徴とする請求項１記載の電波吸収体である。
【００１１】
請求項４に係るの発明は、前記電波吸収体と意匠部が独立していることを特徴とする請求項１〜３のいずれか１項に記載の電波吸収体である。
【００１２】
請求項５に係るの発明は、前記意匠部のみを交換可能であることを特徴とする請求項１〜４のいずれか１項に記載の電波吸収体である。
【発明の効果】
【００１３】
本発明の電波吸収体は、一般のオフィス等においては電波の吸収量よりも通信の安定化が必要とされ、部屋全体に電波吸収体を設置する必要がなく、部屋の一部に設置した場合であっても、違和感がなく、外観上の問題がない。
【００１４】
また、表面意匠部を周囲まで折り込み周囲意匠部を削除することも可能な構造とすることで、月ごとや季節ごとに部屋の雰囲気に合わせた表面意匠部を作成し、この表面意匠部を定期的に交換するサービスを提供することも可能となる。さらに、周囲意匠部についても表面意匠部に合わせて交換するサービスの提供も可能となる。これら意匠部の提供は、例えば、販売、リース、無償提供などが可能である。また、電波吸収部をリース形式にすることにより、使用する無線ＬＡＮ等の通信機機器に合わせ交換するサービスの提供も可能となる。また、展示会等の展示ブースにおいて使用される展示パネルに本発明を用いれば、良好な通信を可能とする再利用可能な展示パネルの提供も可能となる。
【発明を実施するための最良の形態】
【００１５】
以下、本発明を図面を用いて詳細に説明する。
【００１６】
本発明により提供する電波吸収体は、図１のように電波吸収部１と表面意匠部２、周囲意匠部３の３つからなることを特徴としている。
【００１７】
電波吸収部１は、誘電損失型、磁性損失型、導電損失型等いかなる種類の電波吸収体であってもかまわない。表面に凹凸がある場合においても発泡スチロール等を用いて表面を平滑にして使用することも可能であるが、できれば平板型の電波吸収体を用いることが好ましい。
【００１８】
表面意匠部２に関しては、紙やフィルム等の薄いものであることが好ましく、可能であれば比誘電率が１に近いことが望ましい。しかし、これ以外においても電波吸収部１の設
計において表面意匠部２の厚みと誘電率を考慮すればこの限りではない。
【００１９】
さらに、表面意匠部２を保護するためにプラスチックフィルム、アクリル、ガラス等の透明材を配置することも可能であるが、アクリルやガラス等を用いる場合にはこれらの厚みと誘電率、透磁率等を電波吸収部の設計に組み込む必要がある。
【００２０】
また意匠については、絵画、文字、写真、木目、幾何学文様およびこれらの組み合わせがあげられるがこの限りではない。周囲意匠部３については額縁構造等があげられるがこの限りではない。
【００２１】
また、表面意匠部２を周囲まで折り込み周囲意匠部３を削除することも可能となる。さらにこのような構造とした場合、月ごとや季節ごとに部屋の雰囲気に合わせた表面意匠部２を作成し、この表面意匠部２を定期的に交換するサービスを提供することも可能となる。さらに周囲意匠部３についても表面意匠部２に合わせて交換するサービスの提供も可能となる。これら意匠部の提供は販売、リース、無償提供などが考えられるがこれらに限定されるものではない。また、電波吸収部をリース形式にすることにより、使用する無線ＬＡＮ等の通信機機器に合わせ交換するサービスの提供も可能となる。また、展示会等の展示ブースにおいて使用される展示パネルに本発明を用いれば、良好な通信を可能とする再利用可能な展示パネルの提供も可能となる。
【実施例】
【００２２】
以下に、本発明の具体的実施例を記す。
【００２３】
３７７Ω／□の表面抵抗値を持つ抵抗皮膜、２４．１ｍｍ厚の紙製ハニカム構造層、１０ｎｍのアルミニウムを蒸着したＰＥＴフィルムを配列することにより２．４５ＧＨｚにおいて電波を遮蔽する電磁波遮蔽材を記載した順番で張り合わせることにより６００ｍｍ×６００ｍｍサイズの電波吸収部を作製し、その表面に５０μｍのＰＥＴフィルム上に絵画を印刷法により設けた意匠部を設置した電波吸収体を作製した。
【００２４】
上記で得られた電波吸収体を下記の評価方法に基づいて、１０ＧＨｚにおいて電波を反射する電波吸収体の性能を評価した。その結果を表１に示す。
【００２５】
〈評価方法〉
測定は自由空間において行い、透過減衰量測定は透過損失法、反射減衰量測定は反射電力法を用いて行った。透過減衰量測定では試料をなにも入れない場合と比較して何ｄＢ透過量が減少したかを反射減衰量測定に関しては同サイズの金属板と比較して何ｄＢ反射量が減少したかを、測定を行った。測定範囲は２ＧＨｚから２０ＧＨｚの範囲で行いネットワークアナライザー（ヒューレッドパッカード社製ＨＰ８５２２Ｃ）のＳ２１モードにおいて測定した。
【００２６】
【表１】
2005183772.tif 000003
本発明の電磁波吸収材は、従来の吸収体と同等の性能を維持しつつ、部屋に単独で存在しても違和感のないものである。
【図面の簡単な説明】
【００２７】
【図１】本発明に係わる電波吸収体の一実施例としての形態を示す模式図である。
【符号の説明】
【００２８】
１・・・電波吸収部
２・・・表面意匠部
３・・・周囲意匠部
【図１】
2005183772.tif 000004